(57)【要約】【課題】  デジタルリレーの小型化とコストダウンの進行により、デジタルリレー内部に大量のメモリ領域を設けること自体が次第に困難になってきても、デジタルリレー内部の不揮発性メモリに波形解析データの退避完了した後、オペレータの操作を必要とすることなく、同データを装置外部に取り付けられた補助記憶にも退避することにより、波形解析用データの上書き、および、消失の可能性を減らす。【解決手段】  イベント発生時波形解析用データとしてＲＡＭ５からリレー内の不揮発性メモリ６に複数のイベント分を退避保存するデジタルリレー１の波形解析用データの退避保存方法において、不揮発性メモリに退避保存されているイベント発生時波形解析用データを、デジタルリレーに常時接続の外部補助記憶装置２または７に、不揮発性メモリへの退避保存終了を条件にしてデジタルリレーの機能により自動的に退避保存する。【選択図】図２
2006311762.tif 000002
【特許請求の範囲】
【請求項１】
電力系統から入力される電気量およびデジタルリレー内部の信号状態の各情報をデジタルリレー内のＲＡＭに一時的に保存し、イベント発生時にイベント発生前後の前記情報をイベント発生時波形解析用データとして前記ＲＡＭからリレー内の不揮発性メモリに複数のイベント分を退避保存するデジタルリレーの波形解析用データの退避保存方法において、前記不揮発性メモリに退避保存されている前記イベント発生時波形解析用データを、デジタルリレーに常時接続の外部補助記憶装置に、前記不揮発性メモリへの退避保存終了を条件にしてデジタルリレーの機能により自動的に退避保存することを特徴とするデジタルリレーの波形解析用データの退避保存方法。
【請求項２】
請求項１に記載のデジタルリレーの波形解析用データの退避保存方法において、前記不揮発性メモリの全エリアが、前記外部補助記憶装置に退避保存されていない前記波形解析用データの保存に使用される前に、前記不揮発性メモリに保存の前記波形解析用データを、前記外部補助記憶装置にデジタルリレーの機能により自動的に退避保存することを特徴とするデジタルリレーの波形解析用データの退避保存方法。
【請求項３】
請求項１または請求項２に記載のデジタルリレーの波形解析用データの退避保存方法において、前記不揮発性メモリから前記外部補助記憶装置への自動的退避保存は、デジタルリレーに搭載されたソフトウェアにより実行されることを特徴とするデジタルリレーの波形解析用データの退避保存方法。
【請求項４】
電力系統から入力される電気量およびリレー内部の信号状態の各情報をリレー内のＲＡＭに一時的に保存するＲＡＭ、
イベント発生時にイベント発生前後の複数のイベント分の前記情報をイベント発生時波形解析用データとして前記ＲＡＭから退避保存する不揮発性メモリ、および
デジタルリレーに常時接続され、前記不揮発性メモリに退避保存されている前記イベント発生時波形解析用データを、デジタルリレーに搭載されたソフトウェアにより、前記不揮発性メモリへの退避保存終了を条件にして自動的に退避保存する外部補助記憶装置、
を備えたデジタルリレーシステム。
【請求項５】
請求項４に記載のデジタルリレーシステムにおいて、前記外部補助記憶装置がリムーバブルメディアおよびパーソナルコンピュータの少なくとも一であることを特徴とするデジタルリレーシステム。
【請求項６】
請求項４に記載のデジタルリレーシステムにおいて、前記外部補助記憶装置がリムーバブルメディアであり、波形解析用データの退避件数が、前記リムーバブルメディアと前記不揮発性メモリとで別々に管理されることを特徴とするデジタルリレーシステム。
【請求項７】
請求項４に記載のデジタルリレーシステムにおいて、前記外部補助記憶装置が、リレーに通信回線を介して接続され波形解析用ソフトウェアがインストールされたパーソナルコンピュータであり、このパーソナルコンピュータが常時稼動されていることを特徴とするデジタルリレーシステム。
【請求項８】
請求項４〜請求項７の何れか一に記載のデジタルリレーシステムにおいて、前記不揮発性メモリから前記外部補助記憶装置への前記波形解析用データの自動的退避保存が成功したか失敗したかの情報が、前記不揮発性メモリに記憶されることを特徴とするデジタルリレーシステム。
【請求項９】
請求項８に記載のデジタルリレーシステムにおいて、前記不揮発性メモリから前記外部補助記憶装置への前記波形解析用データの自動的退避保存に失敗した情報がある場合、前記ＲＡＭから前記不揮発性メモリに退避保存する次の波形解析用データは、前記自動的退避保存に失敗した情報を利用して、前記不揮発性メモリの前記自動的退避保存が失敗した波形解析用データを保存しているエリア以外のエリアに退避保存されることを特徴とするデジタルリレーシステム。
【発明の詳細な説明】
【技術分野】
【０００１】
この発明は、電力系統から入力される電気量およびデジタルリレー内部の信号状態の各情報をデジタルリレー内のＲＡＭに一時的に保存し、イベント発生時にイベント発生前後の前記情報をイベント発生時波形解析用データとして前記ＲＡＭからリレー内の不揮発性メモリに複数のイベント分を退避保存するデジタルリレーの波形解析用データの退避保存方法に関するものである。
【背景技術】
【０００２】
デジタルリレーは、電力系統から入力される電流値、電圧値などの電気量、及びＯＮ／ＯＦＦの２値で表されるデジタルリレーの内部信号状態情報などを１ミリ秒前後のサンプリング周期で時系列に常時デジタルリレー内部のＲＡＭメモリに一時保存している。
【０００３】
デジタルリレーは、リレーが動作するような電力系統の事故、および、リレー装置異常など事故などの通称「イベント」が発生した場合、警報を上げ保守員などのユーザに通知するとともに、同イベントをトリガとして、前記ＲＡＭメモリ上の一時保存データのうち、トリガ前後の一定時間（通常、約数秒）の間のデータを当該イベント発生時の波形解析用データとしてデジタルリレー内部の不揮発性メモリに退避している。
【０００４】
不揮発性メモリ上に退避した波形解析用データは、解析用ソフトウェアがインストールされたパソコンをオペレータがデジタルリレーに接続し操作することにより読み出される。そして、解析用ソフトウェアで、画面上に、イベント発生時のアナログ波形やベクトル図、デジタルリレーの内部信号状態情報のＯＮ/ＯＦＦ状態などを時系列に表示させることにより、事故現象などのイベント発生時の現象の解析に利用されている。
【０００５】
なお、前記波形解析用データは、事故発生の前後一定時間（通常、約数秒）の間に渡って、１ミリ秒前後のサンプリング周期で時系列に退避し続ける必要があるため、デジタルリレー内部に大量の退避用メモリ領域を必要とする。
【０００６】
【特許文献１】特開平０５−１６１２４４号公報（図１及びその説明）
【発明の開示】
【発明が解決しようとする課題】
【０００７】
デジタルリレーが設置される変電所が無人化されている場合、警報などによりイベント発生の通知を受けた後、オペレータが解析用ソフトウェアがインストールされたパソコンを持って変電所に赴かなければ、デジタルリレー内部に退避された波形解析用データを取得できない。
【０００８】
また、デジタルリレーにはネットワークを介し制御所などに設置されたパソコンと接続し通信できるように構成されたものがあるが、この場合も、オペレータが解析用ソフトウェアを起動し操作しない限り、波形解析用データを取得できない。
【０００９】
一方、前記トリガ要因である、リレーが動作するような電力系統の事故やリレー装置異常など事故は短時間に複数回発生するケースがある。
【００１０】
デジタルリレー内部の波形解析用データの退避に関するＲＡＭメモリ領域、および、不揮発性メモリ領域は、満杯になると古いデータから順に新しいデータで上書きされるので、オペレータが波形解析用ソフトウェアを操作する前に複数回の事故が発生するケースでは、デジタルリレー内部に退避された波形解析データが上書きされ消失する可能性がある。
【００１１】
さらに、近年は、デジタルリレーの小型化とコストダウンの進行により、従来のようにデジタルリレー内部に大量のメモリ領域を設けること自体が次第に困難になってきている。
【００１２】
この発明は、前述のような実情に鑑みてなされたもので、デジタルリレーの小型化とコストダウンの進行により、従来のようにデジタルリレー内部に大量のメモリ領域を設けること自体が次第に困難になってきても、デジタルリレー内部の不揮発性メモリに波形解析データの退避完了した後、オペレータの操作を必要とすることなく、同データを装置外部に取り付けられた補助記憶にも退避することにより、波形解析用データの上書き、および、消失の可能性を減らすことを目的とするものである。
【課題を解決するための手段】
【００１３】
この発明に係るデジタルリレーの波形解析用データの退避保存方法は、電力系統から入力される電気量およびデジタルリレー内部の信号状態の各情報をデジタルリレー内のＲＡＭに一時的に保存し、イベント発生時にイベント発生前後の前記情報をイベント発生時波形解析用データとして前記ＲＡＭからリレー内の不揮発性メモリに複数のイベント分を退避保存するデジタルリレーの波形解析用データの退避保存方法において、前記不揮発性メモリに退避保存されている前記イベント発生時波形解析用データを、デジタルリレーに常時接続の外部補助記憶装置に、前記不揮発性メモリへの退避保存終了を条件にしてデジタルリレーの機能により自動的に退避保存することを特徴とするデジタルリレーの波形解析用データの退避保存方法である。
【００１４】
また、この発明に係るデジタルリレーシステムは、電力系統から入力される電気量およびリレー内部の信号状態の各情報をリレー内のＲＡＭに一時的に保存するＲＡＭ、イベント発生時にイベント発生前後の複数のイベント分の前記情報をイベント発生時波形解析用データとして前記ＲＡＭから退避保存する不揮発性メモリ、およびデジタルリレーに常時接続され、前記不揮発性メモリに退避保存されている前記イベント発生時波形解析用データを、デジタルリレーに搭載されたソフトウェアにより、前記不揮発性メモリへの退避保存終了を条件にして自動的に退避保存する外部補助記憶装置、を備えたデジタルリレーシステムである。
【発明の効果】
【００１５】
この発明は、電力系統から入力される電気量およびデジタルリレー内部の信号状態の各情報をデジタルリレー内のＲＡＭに一時的に保存し、イベント発生時にイベント発生前後の前記情報をイベント発生時波形解析用データとして前記ＲＡＭからリレー内の不揮発性メモリに複数のイベント分を退避保存するデジタルリレーの波形解析用データの退避保存方法において、前記不揮発性メモリに退避保存されている前記イベント発生時波形解析用データを、デジタルリレーに常時接続の外部補助記憶装置に、前記不揮発性メモリへの退避保存終了を条件にしてデジタルリレーの機能により自動的に退避保存することを特徴とするデジタルリレーの波形解析用データの退避保存方法であり、また、電力系統から入力される電気量およびリレー内部の信号状態の各情報をリレー内のＲＡＭに一時的に保存するＲＡＭ、イベント発生時にイベント発生前後の複数のイベント分の前記情報をイベント発生時波形解析用データとして前記ＲＡＭから退避保存する不揮発性メモリ、およびデジタルリレーに常時接続され、前記不揮発性メモリに退避保存されている前記イベント発生時波形解析用データを、デジタルリレーに搭載されたソフトウェアにより、前記不揮発性メモリへの退避保存終了を条件にして自動的に退避保存する外部補助記憶装置、を備えたデジタルリレーシステムであるので、デジタルリレーの小型化とコストダウンの進行により、従来のようにデジタルリレー内部に大量のメモリ領域を設けること自体が次第に困難になってきても、連続して電力系統事故が発生するなど連続してイベントが発生した場合、デジタルリレー内部の退避用メモリが上書きされても、波形解析用データの上書き、および、消失の可能性を減らすことができる。
【発明を実施するための最良の形態】
【００１６】
実施の形態１．
以下この発明の実施の形態１を図１〜図３により従来方式と比較しながら説明する。図１（ａ）は従来のデジタルリレーの波形解析用データの退避に必要な構成を示し、図１（ｂ）はこの発明の実施の形態１を示すデジタルリレーの波形解析用データの退避に必要な構成を示す図である。図２（ａ）は従来のデジタルリレーの波形解析用データの退避の仕組みを示し、図２（ｂ）はこの発明の実施の形態１を示すデジタルリレーの波形解析用データの退避の仕組みを示す図である。図３（ａ）は従来のデジタルリレーの波形解析用データの退避の処理手順を示し、図３（ｂ）はこの発明の実施の形態１を示すデジタルリレーの波形解析用データの退避の処理手順を示す図である。なお、各図中、同一符合は同一部分を示す。
【００１７】
デジタルリレーの波形解析用データの退避に必要な構成は、従来方式では図１（ａ）に示すように、デジタルリレー１が動作するような電力系統の事故、および、デジタルリレー装置異常など事故などの通称「イベント」が発生した場合、警報を上げ保守員などのユーザに通知するとともに、同イベントをトリガとして、ＲＡＭ５上の一時保存データのうち、トリガ前後の一定時間（通常、約数秒）の間のデータを当該イベント発生時の波形解析用データとしてデジタルリレー内部の不揮発性メモリ６に退避している。
【００１８】
不揮発性メモリ６上に退避した波形解析用データは、解析用ソフトウェアがインストールされたパソコン２をオペレータがデジタルリレーに接続し操作することにより読み出される。そして、解析用ソフトウェアで、パソコン２の画面上に、イベント発生時のアナログ波形やベクトル図、デジタルリレーの内部信号状態情報のＯＮ/ＯＦＦ状態などを時系列に表示させることにより、事故現象などのイベント発生時の現象の解析に利用されている。  
【００１９】
この発明の実施の形態１におけるデジタルリレーの構成は、従来の構成である図１（ａ）に対し、図１（ｂ）に示すように、デジタルリレー１にリムーバブルメディア（外部補助記憶装置）７をリレー外部から取り付け、デジタルリレー１の内部の不揮発性メモリ６に波形解析用データを退避完了後、デジタルリレー１に搭載のソフトウェア（図示してないＲＯＭに搭載されている）およびＣＰＵ４によりリムーバブルメディア（外部補助記憶装置）７にも自動的に退避を行う。
【００２０】
従来のデジタルリレーの波形解析用データの退避の仕組みは図２（ａ）に示すように、イベント発生によりデジタルリレー１がトリガすると、事象確定し、トリガ前後のＲＡＭ５内のデータ（事故（イベント）前データおよび事故（イベント）後データ）を、デジタルリレー１に搭載のソフトウェアにより、不揮発性メモリ６の第１のエリアに波形解析用データ＃１としてデータ退避し保存する。次にイベントが発生すれば、同様にして、不揮発性メモリ６の第２のエリアに波形解析用データ＃２としてデータ退避し保存し、以下同様に、Ｎ番目のイベント発生時には、不揮発性メモリ６の第Ｎのエリアに波形解析用データ＃Ｎとしてデータ退避し保存する。しかし、イベントの繰り返し発生などによりＮ＋１番目のイベントが引き続き発生した場合、その波形解析用データ＃Ｎ＋１は、最初に退避保存された波形解析用データ＃１に上書きされ、最初に退避保存された波形解析用データ＃１は消滅する。従って、Ｎ＋１番目のイベントが引き続き発生した場合に、最初に退避保存された波形解析用データ＃１の波形解析が行われてなければ、当該波形解析用データ＃１の波形解析はできなくなってしまう。
【００２１】
この発明の実施の形態１におけるデジタルリレーの波形解析用データの退避の仕組みは、従来の仕組みである図２（ａ）に対し、図２（ｂ）に示すように、外部補助記憶装置であるリムーバブルメディア７にもデータを退避する仕組みを追加してある。
【００２２】
外部補助記憶装置であるリムーバブルメディア７は市販のものでも安価であり且つ記憶容量も不揮発性メモリ６の記憶容量に比べて格段に大きいので、Ｎ＋１番目のイベントが引き続き発生した場合、その波形解析用データ＃Ｎ＋１も保存出来るのは勿論、更に多くの波形解析用データを保存できる。なお、リムーバブルメディア７に保存の波形解析用データにより波形解析する場合は、当該リムーバブルメディア７をデジタルリレー１から取り外してパーソナナルコンピュータのＵＳＢ端子に接続してパーソナナルコンピュータにより波形解析を行う。また、リムーバブルメディア７をデジタルリレー１から取り外した場合、次のイベント発生に備えて他のリムーバブルメディアをデジタルリレー１に接続しておく。
【００２３】
なお、従来のデジタルリレーの波形解析用データの退避の処理手順は、図３（ａ）に示すように、トリガ検出があり（ステップＳＴ３１）、事象確定されれば（ステップＳＴ３２）、確定した事象(波形解析用データ)をＲＡＭ５から不揮発性メモリ６へ退避する（ステップＳＴ３３）。
【００２４】
この発明の実施の形態１におけるデジタルリレーの波形解析用データの退避の処理手順は、従来の処理手順である図３（ａ）に対し、図３（ｂ）に示すように、外部補助記憶装置であるリムーバブルメディア７の取付け有無を判定する処理（ステップＳＴ３４）、および、そこへ（リムーバブルメディア７へ）波形解析用データを退避する処理（ステップＳＴ３５）を追加してある。
【００２５】
この発明の実施の形態１は、即ち、電力系統から入力される電気量およびデジタルリレー内部の信号状態の各情報をデジタルリレー内のＲＡＭに一時的に保存し、イベント発生時にイベント発生前後の前記情報をイベント発生時波形解析用データとして前記ＲＡＭからリレー内の不揮発性メモリに複数のイベント分を退避保存するデジタルリレーの波形解析用データの退避保存方法において、前記不揮発性メモリに退避保存されている前記イベント発生時波形解析用データを、デジタルリレーに常時接続の外部補助記憶装置に、前記不揮発性メモリへの退避保存終了を条件にしてデジタルリレーの機能により自動的に退避保存することを特徴とするデジタルリレーの波形解析用データの退避保存方法である。
【００２６】
この発明の実施の形態１は、また、前記不揮発性メモリの全エリアが、前記外部補助記憶装置に退避保存されていない前記波形解析用データの保存に使用される前に、前記不揮発性メモリに保存の前記波形解析用データを、前記外部補助記憶装置にデジタルリレーの機能により自動的に退避保存することを特徴とするデジタルリレーの波形解析用データの退避保存方法である。
【００２７】
この発明の実施の形態１は、また、前記不揮発性メモリから前記外部補助記憶装置への自動的退避保存は、デジタルリレーに搭載されたソフトウェアにより実行されることを特徴とするデジタルリレーの波形解析用データの退避保存方法である。
【００２８】
この発明の実施の形態１は、また、電力系統から入力される電気量およびリレー内部の信号状態の各情報をリレー内のＲＡＭに一時的に保存するＲＡＭ、イベント発生時にイベント発生前後の複数のイベント分の前記情報をイベント発生時波形解析用データとして前記ＲＡＭから退避保存する不揮発性メモリ、およびデジタルリレーに常時接続され、前記不揮発性メモリに退避保存されている前記イベント発生時波形解析用データを、デジタルリレーに搭載されたソフトウェアにより、前記不揮発性メモリへの退避保存終了を条件にして自動的に退避保存する外部補助記憶装置、を備えたデジタルリレーシステムである。
【００２９】
実施の形態２．
一般的に、リムーバブルメディア７の記憶容量はデジタルリレー１の内部の不揮発性メモリ６の記憶容量に比べて格段に大きい。また、リムーバブルメディア７の記憶容量は幾通りかの種類があることが考えられる。
【００３０】
そこで、この発明の実施の形態２では、デジタルリレー内部のソフトウェアにより、波形解析用データの退避件数をデジタルリレー内部の不揮発性メモリ６とリムーバブルメディア７とを別々に管理し、さらに、図４に処理手順を示すように、リムーバブルメディア７が取り付けられ接続されたことを確認すると（ステップＳＴ４１）、リムーバブルメディア７の記憶容量を取得し（ステップＳＴ４２）、波形解析用データの１件のサイズから、退避可能な波形解析用データの件数を算出する（ステップＳＴ４３）ことにより、リムーバブルメディア７には、内部の不揮発性メモリ６の記憶容量や管理方式に縛られることなく、より大量の波形解析用データを退避することができる。
【００３１】
なお、前記波形解析用データの１件のサイズから、退避可能な波形解析用データの件数を算出する算出の仕方は、例えば、「リムーバブルメディアへの波形解析用データの退避可能件数＝リムーバブルメディアのサイズ÷波形解析用データ１件のサイズ」とすればよい。
【００３２】
実施の形態３．
以下、この発明の実施の形態３を、図５および図６により説明する。
【００３３】
図５は、この発明を実施するための実施の形態３におけるデジタルリレーの構成を示す図である。デジタルリレー１と解析用ソフトウェアがインストールされたパソコン２とを通信回線を介して１対１で接続し、パソコン２およびその解析用ソフトウェアを常時稼動させておく。
図６は、この発明を実施するための実施の形態３におけるデジタルリレーとパソコン間の波形解析用データ取得シーケンスを、従来方式と比較して示すものである。従来の取得シーケンスである図６（ａ）に対し、デジタルリレー１は、波形解析用データの内部不揮発性メモリ６への退避完了を、解析用ソフトウェアがインストールされたパソコン２に通知する。この通知を受けて、パソコン２の波形解析用ソフトウェアの波形解析用データ要求により不揮発性メモリ６からパソコン２へ波形解析用データが送信され、当該波形解析用データをパソコン２内の記憶装置に保存する。このように、従来の波形解析用データ取得シーケンスを大幅に変更することなく、自動的にパソコン２の補助記憶装置にも波形解析用データを退避することができる。
【００３４】
実施の形態４．
図７は、この発明を実施するための実施の形態４におけるデジタルリレーの構成を示す図である。実施の形態４は、図７に示すように、デジタルリレー１に外部補助記憶装置であるリムーバブルメディア７と解析用ソフトウェアがインストールされた外部補助記憶装置であるパソコン２の両方を取り付けたものである。
デジタルリレー１は内部の不揮発性メモリ６に波形解析用データを退避完了後、リムーバブルメディア７、パソコン２の補助記憶装置のいずれか一方、あるいは、両方の補助記憶装置に自動的に退避することができる。
【００３５】
実施の形態５．
図８は、この発明を実施するための実施の形態５におけるデジタルリレーの波形解析用データ退避完了印の様子を示す図である。デジタルリレー１はリムーバブルメディア７、または、パソコン２などの外部に取り付けられた外部補助記憶装置に当該波形解析用データが退避できたかどうか（成功、または、失敗）をデジタルリレー１の内部の不揮発性メモリ６に記憶する。
【００３６】
実施の形態６．
図９は、この発明を実施するための実施の形態６におけるデジタルリレーの波形解析用データの上書き退避方法を、従来方式の場合と比較して示す図である。
【００３７】
従来の処理方法である図９（ａ）に対し、前述のこの発明の実施の形態５で記憶する情報（外部補助記憶装置に当該波形解析用データが退避できたかどうか（成功、または、失敗））を参照することにより、外部に取り付けられた補助記憶装置に退避できなかった波形解析データを上書きせずに残しながら、次の波形解析データを不揮発性メモリに退避することができる。
【００３８】
この発明の実施の形態６は、つまり、前記不揮発性メモリ６から前記外部補助記憶装置２または７への前記波形解析用データの自動的退避保存に失敗した情報がある場合、前記ＲＡＭから前記不揮発性メモリ６に退避保存する次の波形解析用データは、前記自動的退避保存に失敗した情報を利用して、前記不揮発性メモリ６の前記自動的退避保存が失敗した波形解析用データを保存しているエリア以外のエリアに退避保存されることを特徴とするデジタルリレーシステムである。
【図面の簡単な説明】
【００３９】
【図１】この発明の実施の形態１を示す図で、図１（ａ）は従来のデジタルリレーの波形解析用データの退避に必要な構成を示し、図１（ｂ）はこの発明の実施の形態１を示すデジタルリレーの波形解析用データの退避に必要な構成を示す図である。
【図２】この発明の実施の形態１を示す図で、図２（ａ）は従来のデジタルリレーの波形解析用データの退避の仕組みを示し、図２（ｂ）はこの発明の実施の形態１を示すデジタルリレーの波形解析用データの退避の仕組みを示す図である。
【図３】この発明の実施の形態１を示す図で、図３（ａ）は従来のデジタルリレーの波形解析用データの退避の処理手順を示し、図３（ｂ）はこの発明の実施の形態１を示すデジタルリレーの波形解析用データの退避の処理手順を示す図である。
【図４】この発明の実施の形態２を示す図で、リムーバブルメディアへの波形解析用データの退避手順を示す図である。
【図５】この発明の実施の形態３を示す図で、デジタルリレーの波形解析用データの退避に必要な構成である。
【図６】この発明の実施の形態３を示す図で、図６（ａ）は従来のデジタルリレーとパソコン間の波形解析用データ取得シーケンスを示す図であり、図６（ｂ）はこの発明の実施の形態１のデジタルリレーとパソコン間の波形解析用データ取得シーケンスを示す図である。
【図７】この発明の実施の形態４を示す図で、デジタルリレーの構成を示す図である。
【図８】この発明の実施の形態５を示す図で、デジタルリレーの波形解析用データ退避完了印の様子を示す図である。
【図９】この発明の実施の形態６を示す図で、図９（ａ）は従来の処理方法を示す図であり、図９（ｂ）は、実施の形態６におけるデジタルリレーの波形解析用データの上書き退避方法を示す図である。
【符号の説明】
【００４０】
１  デジタルリレー、
２  解析用ソフトウェアがインストールされたパソコン（外部補助記憶装置）、
３  デジタルリレー内部の基板、
４    ＣＰＵ、
５    ＲＡＭ、
６    不揮発性メモリ、
７  リムーバブルメディア（外部補助記憶装置）。
【図１】
2006311762.tif 000003
【図２】
2006311762.tif 000004
【図３】
2006311762.tif 000005
【図４】
2006311762.tif 000006
【図５】
2006311762.tif 000007
【図６】
2006311762.tif 000008
【図７】
2006311762.tif 000009
【図８】
2006311762.tif 000010
【図９】
2006311762.tif 000011